(57)【特許請求の範囲】
【請求項１】
ボイスコイルを含むスピーカを有する音声出力装置を接続可能なプラズマディスプレイ装置であって、
映像信号および音声信号を出力する信号出力部と、
前記信号出力部から出力される映像信号に基づいて、第１および第２の電極を有する複数の放電セルにより映像を表示するプラズマディスプレイパネルと、
前記プラズマディスプレイパネルを保持する導電性基板と、
前記放電セルにおける放電を維持するために駆動パルスを前記第１および第２の電極に交互に印加する第１および第２の駆動回路と、
前記信号出力部から出力される音声信号に基づいて前記スピーカのボイスコイルに音声電流を供給する音声回路と、
前記プラズマディスプレイパネルにおける放電電流に起因して前記音声回路に誘導される高周波誘導電流を除去する第１の除去回路とを備え、
前記音声回路は、前記音声信号を増幅し、増幅された音声電流を出力端子から出力する音声出力アンプと、
前記音声出力アンプの前記出力端子を前記スピーカのボイスコイルに電気的に接続する第１の配線とを含み、
前記第１の除去回路は、前記第１の配線と接地端子との間に接続され、前記高周波誘導電流を前記接地端子に流す第１の高周波バイパス部により構成され、
前記第１および第２の駆動回路は、前記導電性基板を介して電気的に接続され、
前記音声回路は、前記導電性基板上に配置される、プラズマディスプレイ装置。
【請求項２】
前記第１の除去回路は、前記放電電流と同じ周波数の電流を除去する、請求項１記載のプラズマディスプレイ装置。
【請求項３】
前記プラズマディスプレイパネルにおける放電電流に起因して前記音声回路に誘導される高周波誘導電流を除去する第２の除去回路をさらに備え、
前記音声回路は、前記信号出力部と前記音声出力アンプとを電気的に接続する第２の配線をさらに含み、
前記第２の除去回路は、前記第２の配線と前記接地端子との間に接続され、前記高周波誘導電流を前記接地端子に流す第２の高周波バイパス部により構成される、請求項２記載のプラズマディスプレイ装置。
【請求項４】
前記第１の高周波バイパス部は、前記第１の配線と前記接地端子との間に接続された容量性素子を含む、請求項１記載のプラズマディスプレイ装置。
【請求項５】
前記第１の高周波バイパス部は、前記第１の配線と前記接地端子との間に直列に接続された容量性素子と誘導性素子とを含む、請求項１記載のプラズマディスプレイ装置。
【請求項６】
前記第１の高周波バイパス部は、前記第１の配線と前記接地端子との間に直列に接続された容量性素子と抵抗性素子とを含む、請求項１記載のプラズマディスプレイ装置。
【請求項７】
前記導電性基板は、アルミニウムを含む、請求項１記載のプラズマディスプレイ装置。
【発明の詳細な説明】
【技術分野】
【０００１】
本発明は、音声回路を備えたプラズマディスプレイ装置に関する。
【背景技術】
【０００２】
自発光映像表示器としてのプラズマディスプレイパネル（以下、ＰＤＰと略記する）を用いたプラズマディスプレイ装置は、薄型化および大画面化が可能であるという利点を有する。このプラズマディスプレイ装置では、画素を構成する放電セルの放電の際における発光を利用することにより映像を表示する。
【０００３】
上記のプラズマディスプレイ装置においては、一対の透明なガラス基板上に電極を備えるＰＤＰと、このＰＤＰを保持するシャーシ部材と、このシャーシ部材に取り付けられた表示駆動回路ブロックとによりＰＤＰのモジュールを構成している（例えば、特許文献１参照）。
【０００４】
図１５は、従来のＡＣ型ＰＤＰの一部の斜視図である。また、図１６は、図１５のＡ−Ａ線断面図であり、図１７は、図１５のＢ−Ｂ線断面図である。
【０００５】
図１５〜図１７に示すように、第１のガラス基板１上には、走査電極ＳＣＮおよび維持電極ＳＵＳからなる表示電極４がストライプ状に複数形成されている。隣り合う表示電極４の間には、遮光層５が形成されている。第１のガラス基板１上で、走査電極ＳＣＮ、維持電極ＳＵＳおよび遮光層５を覆うように誘導体層６が形成され、さらに誘導体層６上に保護膜７が形成されている。
【０００６】
走査電極ＳＣＮは、透明電極２ａ（図１６参照）、およびその透明電極２ａに電気的に接続された銀等からなる母線２ｂ（図１６参照）により構成される。また、維持電極ＳＵＳは、透明電極３ａ（図１６参照）、およびその透明電極３ａに電気的に接続された銀等からなる母線３ｂ（図１６参照）により構成される。
【０００７】
第２のガラス基板８上には、絶縁体層９で覆われた複数のデータ電極Ｄがストライプ状に形成されている。データ電極Ｄの間の絶縁体層９上にデータ電極Ｄと平行して隔壁１１が形成されている。また、絶縁体層９の表面および隔壁１１の側面を覆うように赤色、緑色および青色の蛍光体層１２が形成されている。
【０００８】
表示電極４とデータ電極Ｄとが直交するように第１のガラス基板１と第２のガラス基板８とが対向して配置される。データ電極Ｄと表示電極４との交差部に放電セル１３が構成されている。放電セル１３内には、放電ガスとして、ヘリウム、ネオン、アルゴンおよびキセノンのうち少なくとも１種類の希ガスが封入されている。赤色、緑色および青色の蛍光体層１２により放電セル１３が赤色、緑色および青色にそれぞれ発光する。
【０００９】
次に、このＰＤＰの電極配列図を図１８に示す。図１８に示すように、水平方向に沿ってＭ本の走査電極ＳＣＮ１  〜ＳＣＮＭ  およびＭ本の維持電極ＳＵＳ１  〜ＳＵＳＭ  が配列されており、垂直方向に沿ってＮ本のデータ電極Ｄ１  〜ＤＮ  が配列されている。ＭおよびＮは、それぞれ任意の自然数である。
【００１０】
次に、ＰＤＰの階調表示駆動方式の一例として、ＡＤＳ（Address Display-Period Separation：アドレス・表示期間分離）方式について説明する。図１９は、ＡＤＳ方式を説明するための図である。ＡＤＳ方式では、１フィールド（１／６０秒または１／５０秒）を複数のサブフィールドに時間的に分割する。図１９の例では、１フィールドが８個のサブフィールドで構成されている。
【００１１】
第１〜第８のサブフィールドの各々は初期化期間Ｔ１、書き込み期間Ｔ２、維持期間Ｔ３および消去期間Ｔ４から構成されている。
【００１２】
初期化期間Ｔ１において、全ての走査電極ＳＣＮ１  〜ＳＣＮＭ  に初期セットアップパルスＰｓｅｔが同時に印加される。その後、アドレス期間Ｔ２において、走査電極ＳＣＮ１  〜ＳＣＮＭ  に書き込みパルスＰｗが順に印加され、この書き込みパルスＰｗに同期してデータパルスＰｄａが選択されたデータ電極Ｄ１  〜ＤＮ  に印加される。これにより、選択された放電セル１３において順次アドレス放電が起こる。
【００１３】
次に、維持期間Ｔ３において、全ての走査電極ＳＣＮ１  〜ＳＣＮＭ  に維持パルスＰｓｃが印加され、全ての維持電極ＳＵＳ１  〜ＳＵＳＭ  に維持パルスＰｓｕが印加される。維持パルスＰｓｕの位相は、維持パルスＰｓｃの位相に対して１８０°ずれている。これにより、アドレス期間Ｔ２でアドレス放電した放電セル１３において維持放電が起こる。
【００１４】
その後、消去期間Ｔ４において全ての維持電極ＳＵＳ１  〜ＳＵＳＭ  に消去パルスＰｅが印加される。これにより、維持期間Ｔ３において維持放電した放電セル１３において消去放電が起こり、維持放電が停止する。
【００１５】
この動作が、全てのサブフィールドにわたって行われる。ここで、維持パルスＰｓｕ，Ｐｓｃの数は、サブフィールドごとに異なる。各サブフィールドにおいて表示される放電セル１３の輝度は、これら維持パルスＰｓｕ，Ｐｓｃの数により定まる。したがって、各サブフィールドにおける維持パルスＰｓｕ，Ｐｓｃの数を適宜設定することにより階調表示が可能になる。
【特許文献１】特許第２８０７６７２号公報
【発明の開示】
【発明が解決しようとする課題】
【００１６】
しかしながら、特許文献１のような構成を有するプラズマディスプレイ装置において上記の駆動方法によりＰＤＰの点灯動作を制御する場合、スピーカから発せられる音声に雑音が混入することがある。
【００１７】
本発明の目的は、雑音の混入を防止することができるプラズマディスプレイ装置を提供することである。
【課題を解決するための手段】
【００１８】
本発明の一局面に従うプラズマディスプレイ装置は、ボイスコイルを含むスピーカを有する音声出力装置を接続可能なプラズマディスプレイ装置であって、映像信号および音声信号を出力する信号出力部と、信号出力部から出力される映像信号に基づいて、第１および第２の電極を有する複数の放電セルにより映像を表示するプラズマディスプレイパネルと、プラズマディスプレイパネルを保持する導電性基板と、放電セルにおける放電を維持するために駆動パルスを第１および第２の電極に交互に印加する第１および第２の駆動回路と、信号出力部から出力される音声信号に基づいてスピーカのボイスコイルに音声電流を供給する音声回路と、プラズマディスプレイパネルにおける放電電流に起因して音声回路に誘導される高周波誘導電流を除去する第１の除去回路とを備え、音声回路は、音声信号を増幅し、増幅された音声電流を出力端子から出力する音声出力アンプと、音声出力アンプの出力端子をスピーカのボイスコイルに電気的に接続する第１の配線とを含み、第１の除去回路は、第１の配線と接地端子との間に接続され、高周波誘導電流を接地端子に流す第１の高周波バイパス部により構成され、第１および第２の駆動回路は、導電性基板を介して電気的に接続され、音声回路は、導電性基板上に配置されるものである。
【００１９】
このプラズマディスプレイ装置においては、信号出力部から出力される映像信号に基づいてプラズマディスプレイパネルの複数の放電セルにより映像が表示される。また、音声回路は、信号出力部から出力される音声信号に基づいて音声出力装置のスピーカのボイスコイルに音声電流を供給する。それにより、音声出力装置において音声が出力される。
【００２０】
この場合、プラズマディスプレイパネルの放電電流に起因して音声回路に誘導された高周波誘導電流が第１の配線から第１の除去回路の高周波バイパス部により接地端子に流されることにより音声出力アンプの出力側で除去される。それにより、音声回路に誘導された高周波誘導電流がスピーカのボイスコイルに供給されることが確実に防止される。したがって、音声出力装置において、音声回路に誘導される高周波誘導電流がボイスコイルのインダクタンスと抵抗成分とからなる積分回路により積分されることが防止される。その結果、音声出力装置から雑音が出力されることを防止することができる。
【００２２】
また、第１および第２の駆動回路により第１および第２の電極に駆動パルスが交互に印加される。それにより、放電セルにおける放電が維持される。このとき、放電電流が流れる。また、第１および第２の駆動回路は、導電性基板を介して電気的に接続されている。これにより、放電電流を第１の駆動回路から第２の駆動回路へまたは第２の駆動回路から第１の駆動回路へ導電性基板を介して戻すことができる。
【００２３】
ここで、導電性基板の面積を十分に大きくすることにより第１の駆動回路から第２の駆動回路への電流の経路および第２の駆動回路から第１の駆動回路への電流の経路のインピーダンスを低減することができる。したがって、第１の駆動回路と第２の駆動回路との間の電位差を小さくすることができる。その結果、第１および第２の駆動回路の誤作動を防止することができる。
【００２４】
また、音声回路を導電性基板上に配置しても、放電電流に起因して音声回路に誘導される高周波誘導電流は第１の除去回路により除去される。したがって、音声回路を導電性基板から離れた位置に設ける必要がないので、プラズマディスプレイ装置の薄型化が可能になる。
【００２５】
第１の除去回路は、放電電流と同じ周波数の電流を除去してもよい。音声回路には、放電電流と同じ周波数で変化する磁界に起因する高周波誘導電流が発生する。したがって、第１の除去回路において放電電流と同じ周波数の電流を除去することにより、音声回路に誘導される高周波誘導電流を確実に除去することができる。それにより、音声出力装置から雑音が出力されることを確実に防止することができる。
【００２９】
プラズマディスプレイパネルにおける放電電流に起因して音声回路に誘導される高周波誘導電流を除去する第２の除去回路をさらに備え、音声回路は、信号出力部と音声出力アンプとを電気的に接続する第２の配線をさらに含み、第２の除去回路は、第２の配線と接地端子との間に接続され、高周波誘導電流を接地端子に流す第２の高周波バイパス部により構成されてもよい。
【００３０】
この場合、音声回路に誘導された高周波誘導電流が第２の配線から高周波バイパス部により接地端子に流されることにより音声出力アンプにより増幅される前に除去される。それにより、放電電流に起因して音声回路に誘導された高周波誘導電流を音声出力アンプの入力側および出力側で確実に除去することができる。
【００３１】
第１の高周波バイパス部は、第１の配線と接地端子との間に接続された容量性素子を含んでもよい。この場合、容量性素子の容量成分と等価直列インダクタンスとは所定の周波数で共振する。したがって、容量性素子の容量成分および等価直列インダクタンスの共振周波数と放電電流に起因して音声回路に誘導された高周波誘導電流の周波数とが等しくなるように、容量性素子の容量値を選択することにより、音声回路に誘導された高周波誘導電流を確実に除去することができる。
【００３２】
第１の高周波バイパス部は、第１の配線と接地端子との間に接続された直列に接続された容量性素子と誘導性素子とを含んでもよい。
【００３３】
この場合、第１の除去回路のインピーダンスは狭帯域で低下する。したがって、容量性素子の容量値および誘導性素子のインダクタンス値を選択することにより、所望の周波数の電流のみを除去することができる。それにより、放電電流に起因して音声回路に誘導された高周波誘導電流を確実に除去することができる。
【００３４】
第１の高周波バイパス部は、第１の配線と接地端子との間に接続された直列に接続された容量性素子と抵抗性素子とを含んでもよい。
【００３５】
この場合、第１の除去回路において、容量性素子の容量成分と等価直列インダクタンスとの直列共振を抑制することができる。それにより、第１の除去回路に流れる電流を制限することができるので、音声回路の消費電力を低減することができる。
【００３６】
導電性基板は、アルミニウムを含んでもよい。この場合、プラズマディスプレイ装置の軽量化が可能になるとともに、製造コストを低減することができる。
【発明の効果】
【００３７】
本発明によれば、音声回路に誘導される高周波誘導電流が音声出力装置のスピーカのボイスコイルに供給されることを確実に防止することができる。したがって、音声出力装置において、音声回路に誘導される高周波誘導電流がボイスコイルのインダクタンスと抵抗成分とからなる積分回路により積分されることが防止される。その結果、音声出力装置から雑音が出力されることを防止することができる。
【発明を実施するための最良の形態】
【００３８】
以下、本発明によるプラズマディスプレイ装置の一例としてＡＣ型プラズマディスプレイ装置について説明する。
【００３９】
図１は、本発明の一実施の形態に係るプラズマディスプレイ装置の構成を示すブロック図である。
【００４０】
図１に示すように、プラズマディスプレイ装置１００は、復調器１０１、分離回路１０２、走査数変換部１０３、サブフィールド変換部１０４、制御回路１０５、プラズマディスプレイパネル（以下、ＰＤＰと略記する。）１０６、データドライバ１０７、スキャンドライバ１０８、サステインドライバ１０９、音声回路１１０およびスピーカ１１１を含む。なお、ＰＤＰ１０６としては、図１５〜図１８で説明したプラズマディスプレイパネルを用いることができる。
【００４１】
復調器１０１は、テレビジョン放送信号を復調する。分離回路１０２は、復調器１０１により復調されたテレビジョン放送信号を映像信号ＶＳ、水平同期信号Ｈ、垂直同期信号Ｖおよび音声信号ＳＳに分離する。
【００４２】
走査数変換部１０３には映像信号ＶＳが与えられる。また、走査数変換部１０３、サブフィールド変換部１０４および制御回路１０５には水平同期信号Ｈおよび垂直同期信号Ｖが与えられる。
【００４３】
走査数変換部１０３は、映像信号ＶＳをＰＤＰ１０６の画素数に応じたライン数の映像データに変換し、各ラインごとの映像データをサブフィールド変換部１０４に与える。各ラインごとの映像データは、各ラインの複数の画素にそれぞれ対応する複数の画素データからなる。
【００４４】
サブフィールド変換部１０４は、各ラインごとの映像データの各画素データを複数のサブフィールドに対応するシリアルデータＳＤに変換し、シリアルデータＳＤをデータドライバ１０７に与える。
【００４５】
制御回路１０５は、水平同期信号Ｈおよび垂直同期信号Ｖを基準として放電制御タイミング信号Ｓ１，Ｓ２を生成する。制御回路１０５は、放電制御タイミング信号Ｓ１をスキャンドライバ１０８に与え、放電制御タイミング信号Ｓ２をサステインドライバ１０９に与える。
【００４６】
ＰＤＰ１０６は、複数のデータ電極Ｄ、複数の走査電極ＳＣＮおよび複数の維持電極ＳＵＳを含む。複数のデータ電極Ｄは、画面の垂直方向に配列され、複数の走査電極ＳＣＮおよび複数の維持電極ＳＵＳは画面の水平方向に配列されている。複数の維持電極ＳＵＳは共通に接続されている。
【００４７】
データ電極Ｄ、走査電極ＳＣＮおよび維持電極ＳＵＳの各交点に放電セル１３（図１７参照）が形成され、各放電セル１３が画面上の画素を構成する。
【００４８】
データドライバ１０７は、サブフィールド変換部１０４から与えられるシリアルデータＳＤをパラレルデータに変換し、そのパラレルデータに基づいて書き込みパルスを複数のデータ電極Ｄに選択的に与える。
【００４９】
スキャンドライバ１０８は、制御回路１０５から与えられる放電制御タイミング信号Ｓ１に基づいて走査電極ＳＣＮを駆動する。サステインドライバ１０９は、制御回路１０５から与えられる放電制御タイミング信号Ｓ２に基づいて維持電極ＳＵＳを駆動する。なお、ＰＤＰ１０６は、図１９で説明した方法により駆動することができる。
【００５０】
音声回路１１０は、音声信号ＳＳに基づく電流（以下、音声電流と呼ぶ。）ＳＩをスピーカ１１１に与える。これにより、スピーカ１１１から音声が出力される。
【００５１】
図２は、本実施の形態に係るプラズマディスプレイ装置を示す分解斜視図である。なお、以下の説明においては、プラズマディスプレイ装置の映像が表示される面を前面とし、その反対を背面とする。
【００５２】
図２に示すように、プラズマディスプレイ装置１００は、本体部２００、および本体部２００を内部に収容するためのケーシング３００を有する。
【００５３】
本体部２００は、ＰＤＰ１０６、熱伝導シート２０１、シャーシ部材２０２および複数の回路ブロック２０３を含む。
【００５４】
ＰＤＰ１０６は、熱伝導シート２０１を介してシャーシ部材２０２の前面に接着される。熱伝導シート２０１は、例えば、絶縁性のシリコンからなる。また、シャーシ部材２０２は、例えば、アルミニウムからなる。
【００５５】
シャーシ部材２０２の背面には、複数の放熱用フィン２０２ａ、複数のボス部２０２ｂおよび複数のボス部２０２ｃがダイカスト等の鋳造により一体形成されている。
【００５６】
ＰＤＰ１０６で発生した熱は、熱伝導シート２０１によりシャーシ部材２０２に効率よく伝達され、シャーシ部材２０２の放熱用フィン２０２ａにおいて放熱される。
【００５７】
回路ブロック２０３は、複数のボス部２０２ｂによりシャーシ部材２０２の背面側に支持される。回路ブロック２０３は、図１で説明した制御回路１０５、データドライバ１０７、スキャンドライバ１０８、サステインドライバ１０９、音声回路１１０および後述する電源回路２０３ａを含む。
【００５８】
ケーシング３００は、フロントケース部３０１およびバックケース部３０２を含む。フロントケース部３０１およびバックケース部３０２は、例えば、金属からなる。
【００５９】
フロントケース部３０１の前面にはガラス等からなる透光部３０３が設けられている。バックケース部３０２の上部および下部には、本体部２００で発生した熱を外部に放出するための複数の通気孔３０２ａ（上部のみ図示）が設けられている。
【００６０】
バックケース部３０２は、複数のボス部２０２ｃによりシャーシ部材２０２の背面側に取り付けられる。フロントケース部３０１は、図示しないビスによりバックケース部３０２に取り付けられる。
【００６１】
図３は、本体部２００を背面側から見た外観斜視図である。
【００６２】
図３に示すように、シャーシ部材２０２上には、制御回路１０５および各部へ電力を供給する電源回路２０３ａが設けられる。また、制御回路１０５上に、音声回路１１０が設けられる。
【００６３】
シャーシ部材２０２の一端側には、ビス等からなる複数の導電性支持具３４によりスキャンドライバ１０８が取り付けられている。スキャンドライバ１０８は、複数のフレキシブル接続基板３５を介してＰＤＰ１０６の走査電極ＳＣＮ（図１参照）に接続されている。
【００６４】
シャーシ部材２０２の他端側には、複数の導電性支持具３４によりサステインドライバ１０９が取り付けられている。サステインドライバ１０９は、複数のフレキシブル接続基板３５を介してＰＤＰ１０６の維持電極ＳＵＳ（図１参照）に接続されている。
【００６５】
制御回路１０５は、配線（図示せず）によりスキャンドライバ１０８およびサステインドライバ１０９に接続されており、放電制御タイミング信号Ｓ１（図１参照）をスキャンドライバ１０８に与え、放電制御タイミング信号Ｓ２（図１参照）をサステインドライバ１０９に与える。
【００６６】
音声回路１１０は、配線（図示せず）によりスピーカ１１１（図１参照）に接続されており、音声電流ＳＩ（図１参照）をスピーカ１１１に与える。
【００６７】
図４は、音声回路１１０およびスピーカ１１１の回路図である。図４に示すように、音声回路１１０は音声出力アンプ１１０ａおよび高周波バイパス部１１０ｂを含む。また、スピーカ１１１は、ボイスコイル１１１ａを含む。
【００６８】
音声出力アンプ１１０ａの入力端子には、分離回路１０２（図１参照）から配線Ｌ１を介して音声信号ＳＳが与えられる。音声出力アンプ１１０ａの出力端子は、配線Ｌ２を介してスピーカ１１１のボイスコイル１１１ａの一端に接続されるとともに、高周波バイパス部１１０ｂを介して接地されている。ボイスコイル１１１ａの他端は接地されている。
【００６９】
音声出力アンプ１１０ａは、音声信号ＳＳを増幅し、増幅された音声電流ＳＩをボイスコイル１１１ａに供給する。それにより、スピーカ１１１において音声が出力される。
【００７０】
高周波バイパス部１１０ｂとしては、容量性素子、容量性素子と誘導性素子との直列回路、または容量性素子と抵抗性素子との直列回路を用いることができる。高周波バイパス部１１０ｂは、音声回路１１０に発生する高周波誘導電流を除去する役割を担う。詳細は後述する。
【００７１】
ここで、音声回路１１０に高周波バイパス部１１０ｂを設けなかった場合に、音声回路１１０からスピーカ１１１に与えられる電流について説明する。
【００７２】
図１９で説明したように、ＰＤＰ１０６を駆動する場合、維持期間Ｔ３において、走査電極ＳＣＮおよび維持電極ＳＵＳに維持パルスＰｓｃおよび維持パルスＰｓｕが交互に与えられる。これにより、走査電極ＳＣＮと維持電極ＳＵＳとの間に維持パルスＰｓｃ，Ｐｓｕの印加に起因する放電電流が流れる。
【００７３】
スキャンドライバ１０８によりＰＤＰ１０６の走査電極ＳＣＮに維持パルスＰｓｃが与えられると、ＰＤＰ１０６の放電電流は、サステインドライバ１０９の接地端子からスキャンドライバ１０８の接地端子への経路に流れる。また、サステインドライバ１０９によりＰＤＰ１０６の維持電極ＳＵＳに維持パルスＰｓｕが与えられると、ＰＤＰ１０６の放電電流は、スキャンドライバ１０８の接地端子からサステインドライバ１０９の接地端子への経路に流れる。
【００７４】
ここで、例えば、走査電極ＳＣＮと維持電極ＳＵＳとの間に約０．４[Ａｐ−ｐ]の放電電流が流れるとすると、Ｍ本の走査電極ＳＣＮおよびＭ本の維持電極ＳＵＳに合計０．４Ｍ[Ａｐ−ｐ]の放電電流が発生する。したがって、走査電極ＳＣＮおよび維持電極ＳＵＳが４８０本の場合は、放電電流の合計は１９２[Ａｐ−ｐ]と大きくなる。
【００７５】
このように、放電電流が大きい場合、スキャンドライバ１０８の接地端子とサステインドライバ１０９の接地端子との間の電流経路のインピーダンスが大きいと、スキャンドライバ１０８の接地端子とサステインドライバ１０９の接地端子との間に大きな電位差が発生する。それにより、スキャンドライバ１０８およびサステインドライバ１０９が正常に動作できない場合がある。
【００７６】
そこで、本実施の形態においては、スキャンドライバ１０８の接地端子とサステインドライバ１０９の接地端子との間の電流経路のインピーダンスを低減するために、スキャンドライバ１０８の接地端子とサステインドライバ１０９の接地端子との間でシャーシ部材２０２を介して放電電流を流している。
【００７７】
ところで、シャーシ部材２０２に上記のような大きな放電電流が流れると、その放電電流によって大きな磁界が発生する。図５は、シャーシ部材２０２を流れる放電電流によって発生する磁界が音声回路１１０に与える影響を説明するための図である。
【００７８】
なお、図５においては、シャーシ部材２０２を流れる放電電流を２つの矢印で表している。２つの矢印のうち一方はスキャンドライバ１０８の接地端子からサステインドライバ１０９の接地端子へ流れる放電電流を示し、他方はサステインドライバ１０９の接地端子からスキャンドライバ１０８の接地端子へ流れる放電電流を示している。
【００７９】
図５に示すように、シャーシ部材２０２に放電電流が流れると、放電電流と同じ周波数で変化する磁界Ｈが発生する。図３で説明したように、音声回路１１０は、制御回路１０５を介してシャーシ部材２０２上に設けられている。この場合、音声回路１１０には、この放電電流と同じ周波数を有する誘導電流（以下、高周波誘導電流と呼ぶ。）が発生する。
【００８０】
音声回路１１０において発生した高周波誘導電流は音声電流ＳＩに重畳され、音声電流ＳＩとともにスピーカ１１１のボイスコイル１１１ａに供給される。このとき、ボイスコイル１１１ａに供給された高周波誘導電流は、ボイスコイル１１１ａのインダクタンスと抵抗成分とからなる積分回路により１フィールド期間において積分される。この場合、１フィールド期間は１／６０秒または１／５０秒であるので、積分された高周波誘導電流は、１／６０秒または１／５０秒の周期で繰り返す鋸状の電流波形を有することになる。以下、この高周波誘導電流が積分されることにより得られる電流を低周波ノイズ電流と呼ぶ。本発明者は、この現象のシミュレーションを以下のように行った。
【００８１】
図６は、シミュレーション回路の等価回路図である。図６に示すように、高周波誘導電流の発生源として信号発生器ＳＧがスピーカ１１１の両端に接続されている。スピーカ１１１は、等価直列抵抗ＥＳＲおよびボイスコイル１１１ａを含む。
【００８２】
図７にシミュレーション回路における信号発生器ＳＧにより発生される電圧波形を示し、図８にシミュレーション回路におけるボイスコイル１１１ａの両端の電圧波形を示し、図９にシミュレーション回路におけるボイスコイル１１１ａの電流波形を示す。
【００８３】
なお、図７および図８においては、横軸は時間を示し、縦軸は電圧を示す。また、図９においては、横軸は時間を示し、縦軸は電流を示す。
【００８４】
図７に示すように、信号発生器ＳＧからは、周波数が約２００ｋＨｚのバースト状の電圧が発生する。図８に示すように、ボイスコイル１１１ａの両端には、信号発生器ＳＧから発生される電圧に応じてバースト状の電圧が印加される。
【００８５】
また、ボイスコイル１１１ａには、信号発生器ＳＧから発生される電圧に応じて、周波数が約２００ｋＨｚの電流が流れる。この電流は、図９に示すように、スピーカ１１１の等価直列抵抗ＥＳＲおよびボイスコイル１１１ａからなる積分回路により積分される。それにより、ボイスコイル１１１ａに流れる電流は、信号発生器ＳＧにより電圧が印加された後に増加し、信号発生器ＳＧによる電圧の印加が終了した後に減少する。
【００８６】
この場合、信号発生器ＳＧのバースト状の電圧に応じて流れる電流の周波数（約２００ｋＨｚ）は可聴周波数を外れるので、この電流の周波数が雑音となってスピーカ１１１から出力されることはない。
【００８７】
しかしながら、ボイスコイル１１１ａにおいて積分された電流の包絡線の周期Ｔ（図９参照）は約１００μｓとなり、ボイスコイル１１１ａに流れる電流の周波数は約１０ｋＨｚとなる。この場合、周波数は可聴周波数であるので、雑音となってスピーカ１１１から出力される。
【００８８】
ここで、上記の現象を再びプラズマディスプレイ装置において考えてみる。図１０は、ＡＤＳ方式でプラズマディスプレイ装置を駆動した場合の、シャーシ部材２０２に流れる放電電流とボイスコイル１１１ａに流れる低周波ノイズ電流との関係を示した図である。図１０（ａ）に放電電流を示し、図１０（ｂ）に低周波ノイズ電流を示す。なお、図１０（ａ）においては、簡便のため、放電電流が流れている期間（維持期間Ｔ３）を四角Ｂで表しているが、実際には、上述したように、維持パルスＰｓｃ，Ｐｓｕに応じてパルス状の放電電流が流れている。
【００８９】
音声回路１１０の高周波誘導電流は、図５で説明したように、シャーシ部材２０２に放電電流が流れるときに発生する。しがたって、図１０に示すように、高周波誘導電流が各サブフィールドの維持期間Ｔ３において積分され、低周波ノイズ電流が徐々に増加する。そして、最後のサブフィールドでの維持期間Ｔ３が終了した後に低周波ノイズ電流は徐々に減少する。その後、次のフィールドの最初のサブフィールドの維持期間Ｔ３において、再び高周波誘導電流の積分が開始され、低周波ノイズ電流が徐々に増加する。そして、最後のサブフィールドでの維持期間Ｔ３が終了した後に低周波ノイズ電流は徐々に減少する。このように、各フィールドごとに低周波ノイズ電流の増加および減少が繰り返される。
【００９０】
ここで、維持期間Ｔ３において発生する放電電流について詳細に説明する。図１１は、維持期間Ｔ３における１本の走査電極ＳＣＮおよび１本の維持電極ＳＵＳに与えられる維持パルスＰｓｃ，Ｐｓｕならびにそれらの走査電極ＳＣＮと維持電極ＳＵＳとの間に流れる放電電流の関係を示した図である。
【００９１】
図１１に示すように、例えば、維持期間Ｔ３において周波数２００ｋＨｚの維持パルスＰｓｃ，Ｐｓｕが印加された場合、走査電極ＳＣＮと維持電極ＳＵＳとの間には、維持パルスＰｓｃの立ち上がり時および維持パルスＰｓｕの立ち上がり時にそれぞれ１回ずつ放電電流が流れる。これらの放電電流は、図１１に示すように、約５００ｎｓｅｃの間に流れる。この場合、１回の放電による放電電流の周波数は約１ＭＨｚとなる。それにより、シャーシ部材２０２に、放電ごとに周波数約１ＭＨｚのパルス状の放電電流が流れる。
【００９２】
この場合、上述したように、放電電流に起因して音声回路１１０に高周波誘導電流が発生するので、ボイスコイル１１１ａには、維持パルスＰｓｃ，Ｐｓｕの周期と同じ周期で高周波誘導電流（本例では、周波数約１ＭＨｚの電流）が与えられる。しかしながら、この高周波誘導電流の周波数（１ＭＨｚ）は、可聴周波数を外れるので、雑音となってスピーカ１１１から出力されることはない。
【００９３】
一方、ボイスコイル１１１ａに流れる低周波ノイズ電流の周期は１フィールド期間に相当するので１／６０秒または１／５０秒となる。この場合、低周波ノイズ電流の周波数は可聴周波数となるので、雑音となってスピーカ１１１から出力される。
【００９４】
そこで、本実施の形態においては、この低周波ノイズ電流を除去するために音声回路１１０において、音声出力アンプ１１０ａの出力端子に接続される配線Ｌ２と接地端子との間に高周波バイパス部１１０ｂを設けている（図４参照）。上述したように、高周波バイパス部１１０ｂとしては、容量性素子、容量性素子と誘導性素子との直列回路、または容量性素子と抵抗性素子との直列回路を用いることができる。
【００９５】
図１２ａ、図１２ｂおよび図１２ｃは、高周波バイパス部１１０ｂの等価回路図であり、図１３は、高周波バイパス部１１０ｂにおけるインピーダンスの周波数特性を示した図である。なお、図１３においては、横軸は周波数を示し、縦軸はインピーダンスを示す。
【００９６】
図１２ａに示すように、高周波バイパス部１１０ｂとして容量性素子８００を用いた場合、高周波バイパス部１１０ｂは、等価直列インダクタンスＥＳＬ、容量性成分Ｃおよび等価直列抵抗ＥＳＲにより構成される。この場合、等価直列インダクタンスＥＳＬと容量性成分Ｃとは所定の周波数で共振するので、高周波バイパス部１１０ｂのインピーダンスは、図１３に実線で示すように共振周波数で最小となる。
【００９７】
上述したように、音声回路１１０において発生する高周波誘導電流は、放電電流と同じ周波数を有する。したがって、高周波バイパス部１１０ｂの共振周波数と放電電流の周波数とが等しくなるように、容量性素子の容量値を選択することにより、音声回路１１０で発生した高周波誘導電流を高周波バイパス部１１０ｂを介して接地端子に流すことができる。それにより、スピーカ１１１のボイスコイル１１１ａにおいて高周波誘導電流が積分されることを防止することができる。したがって、１フィールド期間に相当する周期を有する低周波ノイズ電流の発生を防止することができる。その結果、スピーカ１１１から雑音が出力されることを防止することができる。
【００９８】
また、図１２ｂに示すように、高周波バイパス部１１０ｂとして、容量性素子８００と誘導性素子８１０との直列回路を用いた場合、高周波バイパス部１１０ｂは、等価直列インダクタンスＥＳＬ、容量性成分Ｃ、等価直列抵抗ＥＳＲ、インダクタンスＬおよび等価直列抵抗ＥＳＲにより構成される。この場合、図１３に点線で示すように、高周波バイパス部１１０ｂのインピーダンスは、容量性素子８００のみを用いた場合に比べて低い共振周波数で最小となる。
【００９９】
したがって、高周波バイパス部１１０ｂの共振周波数と放電電流の周波数とを等しくするための適当な容量値を有する容量性素子８００がない場合には、誘導性素子８１０を直列に接続することにより、高周波バイパス部１１０ｂの共振周波数を最適な値に設定することができる。
【０１００】
また、図１３に示すように、高周波バイパス部１１０ｂとして容量性素子８００と誘導性素子８１０との直列回路を用いた場合、インピーダンスは狭帯域で低下する。したがって、除去したい所望の周波数の高周波誘導電流のみを確実に除去することができる。
【０１０１】
また、図１２ｃに示すように、高周波バイパス部１１０ｂとして、容量性素子８００と抵抗性素子８２０との直列回路を用いた場合、高周波バイパス部１１０ｂは、等価直列インダクタンスＥＳＬ、容量性成分Ｃ、等価直列抵抗ＥＳＲおよび抵抗成分Ｒにより構成される。この場合、図１３の一点鎖線で示すように、高周波バイパス部１１０ｂとして容量性素子Ｃのみを用いた場合に比べて直列共振を抑制することができる。これにより、高周波バイパス部１１０ｂに流れる電流を制限することができるので、音声回路１１０の消費電力を低減することができる。
【０１０２】
ここで、例えば、音声回路１１０の音声出力アンプ１１０ｂの入力端子側（配線Ｌ１側）に高周波誘導電流が発生した場合には、その高周波誘導電流は音声出力アンプ１１０ｂにより増幅される。この場合、この増幅された高周波誘導電流を全て高周波バイパス部１１０ｂを介して接地端子に流すと、消費電力が大幅に増加する。したがって、このような場合に、上記の構成を採用することによって音声回路１１０における消費電力の大幅な増加を防止することができる。なお、この構成を採用する場合には、スピーカ１１１から使用者が聞き取ることが可能な雑音が出力されない程度に高周波バイパス部１１０ｂの直列共振を抑制する。
【０１０３】
なお、高周波バイパス部１１０ｂを、図１４に示すように、音声出力アンプ１１０ａの入力端子に接続される配線Ｌ１と接地端子との間にさらに設けてもよい。この場合、音声出力アンプ１１０ａの入力側および出力側で高周波誘導電流を確実に除去できる。
【０１０４】
また、上記実施の形態においては、スピーカ１１１をプラズマディスプレイ装置１００に含めた構成について説明したが、スピーカ１１１は、外部装置としてプラズマディスプレイ装置１００に接続されてもよい。
【０１０５】
（請求項の各構成要素と実施の形態の各部との対応）
上記実施の形態においては、スピーカ１１１が音声出力装置に相当し、分離回路１０２が信号出力部に相当し、高周波バイパス部１１０ｂが第１および第２の除去回路に相当する。
【０１０６】
また、走査電極ＳＣＮおよび維持電極ＳＵＳが第１および第２の電極に相当し、スキャンドライバ１０８およびサステインドライバ１０９が第１および第２の駆動回路に相当し、維持パルスＰｓｃおよび維持パルスＰｓｕが駆動パルスに相当し、シャーシ部材２０２が導電性基板に相当し、高周波バイパス部１１０ｂがバイパス回路に相当し、音声出力アンプ１１０ａが音声信号増幅部に相当し、配線Ｌ２が第１の配線部に相当し、配線Ｌ１が第２の配線部に相当する。
【産業上の利用可能性】
【０１０７】
本発明は、種々の映像を表示するとともに音声を出力するため等に利用することができる。
【図面の簡単な説明】
【０１０８】
【図１】図１は本発明の一実施の形態に係るプラズマディスプレイ装置の構成を示すブロック図
【図２】図２は本実施の形態に係るプラズマディスプレイ装置を示す分解斜視図
【図３】図３は本体部を背面側から見た外観斜視図
【図４】図４は音声回路およびスピーカの回路図
【図５】図５はシャーシ部材を流れる放電電流によって発生する磁界が音声回路に与える影響を説明するための図
【図６】図６はシミュレーション回路の等価回路図
【図７】図７は信号発生器により発生される電圧波形を示した図
【図８】図８はシミュレーション回路におけるボイスコイルの両端の電圧波形を示した図
【図９】図９はボイスコイルの電流波形を示した図
【図１０】図１０はＡＤＳ方式でプラズマディスプレイ装置を駆動した場合の、シャーシ部材に流れる放電電流とボイスコイルに流れる低周波ノイズ電流との関係を示した図
【図１１】図１１は維持期間における１本の走査電極および１本の維持電極に与えられる維持パルスならびにそれらの走査電極と維持電極との間に流れる放電電流の関係を示した図
【図１２ａ】図１２ａは高周波バイパス部として容量性素子を用いた場合の等価回路図
【図１２ｂ】図１２ｂは高周波バイパス部として容量性素子と誘導性素子との直列回路を用いた場合の等価回路図
【図１２ｃ】図１２ｃは高周波バイパス部として容量性素子と抵抗性素子との直列回路を用いた場合の等価回路図
【図１３】図１３は高周波バイパス部におけるインピーダンスの周波数特性を示した図
【図１４】図１４は高周波バイパス部の他の例を示した図
【図１５】図１５は従来のＡＣ型ＰＤＰの一部の斜視図
【図１６】図１６は図１５のＡ−Ａ線断面図
【図１７】図１７は図１５のＢ−Ｂ線断面図
【図１８】図１８はＰＤＰの電極配列図
【図１９】図１９はＡＤＳ方式を説明するための図
【図１】
0004676957.tif 000002
【図２】
0004676957.tif 000003
【図３】
0004676957.tif 000004
【図４】
0004676957.tif 000005
【図５】
0004676957.tif 000006
【図６】
0004676957.tif 000007
【図７】
0004676957.tif 000008
【図８】
0004676957.tif 000009
【図９】
0004676957.tif 000010
【図１０】
0004676957.tif 000011
【図１１】
0004676957.tif 000012
【図１２ａ】
0004676957.tif 000013
【図１２ｂ】
0004676957.tif 000014
【図１２ｃ】
0004676957.tif 000015
【図１３】
0004676957.tif 000016
【図１４】
0004676957.tif 000017
【図１５】
0004676957.tif 000018
【図１６】
0004676957.tif 000019
【図１７】
0004676957.tif 000020
【図１８】
0004676957.tif 000021
【図１９】
0004676957.tif 000022